(57)【要約】【課題】イベント会場の大きさによらず、イベントを鑑賞する利用者にチケットを送付するとともにその座席位置を正確に通知する。【解決手段】  座席情報が掲載されたチケット１１ａ，１１ｂからなるチケット部１０と、チケット１１ａ，１１ｂの宛先情報が掲載された宛先情報掲載領域２０と、チケット１１ａ，１１ｂに掲載された座席情報によって指定される座席位置が図表上で特定可能に明記された座席図掲載領域３０とが設けられた情報表示シートを用いて、宛先情報掲載領域２０に掲載された宛先情報によって特定される利用者に、チケット１１ａ，１１ｂを送付するとともに、チケット１１ａ，１１ｂに掲載された座席情報によって指定される座席位置を図表上で特定可能に通知する。【選択図】図１
2005193397.tif 000002
【特許請求の範囲】
【請求項１】
固有に決められた座席情報が少なくとも掲載されたチケットからなるチケット部と、
前記チケットの宛先情報が掲載された宛先情報掲載領域と、
前記チケットに掲載された座席情報によって指定される座席位置が図表上で特定可能に明記された座席図掲載領域とを有する情報表示シート。
【請求項２】
請求項１に記載の情報表示シートにおいて、
前記チケット部は、前記宛先情報によって指定される宛先に送付すべき複数のチケットからなり、
前記座席図掲載領域は、前記チケット部を構成する複数のチケットそれぞれの座席位置が図表上で明記されていることを特徴とする情報表示シート。
【請求項３】
請求項１または請求項２に記載の情報表示シートにおいて、
前記チケットに関する情報、広告情報及びクーポン券のうち少なくとも１つが掲載されていることを特徴とする情報表示シート。
【発明の詳細な説明】
【技術分野】
【０００１】
本発明は、イベント等を鑑賞する利用者に送付される情報表示シートに関する。
【背景技術】
【０００２】
従来より、映画、演劇、スポーツ等のイベントを鑑賞するためのチケットにおいては、そのイベントの内容や、イベントが行われる日時、場所の他に、鑑賞する座席が指定されている場合、その座席を特定するための座席番号が掲載されている。イベントを鑑賞する利用者は、チケットに掲載された情報に基づいてイベント会場に出向き、座席が指定されている場合は、チケットに掲載された座席番号に従って座席を探し出し、その座席でイベントを鑑賞することになる。
【０００３】
近年、このようなチケットにイベント会場全体の座席配置図を掲載し、その中でチケットの座席番号の座席を明記する技術が考えられている（例えば、特許文献１参照。）。この技術を用いた場合、イベントを鑑賞する利用者は、チケットに掲載された座席配置図を参照して、自分の座席を容易に探し出すことができるようになる。
【特許文献１】特開２０００−９０２９４号公報
【発明の開示】
【発明が解決しようとする課題】
【０００４】
上述したように、チケットにイベント会場全体の座席配置図を掲載し、その中でチケットの座席番号の座席を明記するものにおいては、チケット上に座席に関する情報が掲載されることになるが、チケットの大きさはそれほど大きなものではないため、掲載される情報の量が制限されてしまい、イベント会場が大きな会場である場合、そのイベント会場全体の座席配置図を掲載することが困難となる場合が生じる。もちろん縮小して掲載することも考えられるが、その場合、座席配置図が見づらいものとなってしまう。
【０００５】
また、イベント会場が大きな会場の場合であってもイベント会場全体の座席配置図をチケットに掲載するためにチケットを大型化することが考えられるが、その場合、チケットの携帯性が損なわれてしまうという問題点がある。
【０００６】
また、チケットを送付する場合において、イベント会場全体の座席配置図が掲載されるとともに、その中でチケットの座席が明記された印刷物を同封することにより、イベントを鑑賞する利用者にチケットを送付するとともに、チケットの座席位置を通知することが考えられるが、その場合、上述した印刷物とチケットとを同封する際に相互のマッチングミスが生じてしまう虞れがあり、利用者にチケットの座席位置を正確に通知することができなくなってしまう虞れがある。
【０００７】
本発明は、上述したような従来の技術が有する問題点に鑑みてなされたものであって、イベント会場の大きさによらず、イベントを鑑賞する利用者にチケットを送付するとともにその座席位置を正確に通知することができる情報表示シートを提供することを目的とする。
【課題を解決するための手段】
【０００８】
上記目的を達成するために本発明は、
固有に決められた座席情報が少なくとも掲載されたチケットからなるチケット部と、
前記チケットの宛先情報が掲載された宛先情報掲載領域と、
前記チケットに掲載された座席情報によって指定される座席位置が図表上で特定可能に明記された座席図掲載領域とを有する。
【０００９】
また、前記チケット部は、前記宛先情報によって指定される宛先に送付すべき複数のチケットからなり、
前記座席図掲載領域は、前記チケット部を構成する複数のチケットそれぞれの座席位置が図表上で明記されていることを特徴とする。
【００１０】
また、前記チケットに関する情報、広告情報及びクーポン券のうち少なくとも１つが掲載されていることを特徴とする。
【００１１】
上記のように構成された本発明においては、固有に決められた座席情報が掲載されたチケットからなるチケット部と、チケットの宛先情報が掲載された宛先情報掲載領域と、チケットに掲載された座席情報によって指定される座席位置が図表上で特定可能に明記された座席図掲載領域とが設けられた情報表示シートを用いて、宛先情報掲載領域に掲載された宛先情報によって特定される利用者に、チケットが送付されるとともに、チケットに掲載された座席情報によって指定される座席位置が図表上で特定可能に通知される。
【００１２】
これにより、チケットに掲載されたイベントが開催される会場が大きな会場である場合であっても、チケットを大型化することなく、そのイベント会場全体の座席配置図を掲載することができ、また、チケットと、イベント会場全体の座席配置図とが、利用者に正確に送付されることになる。
【発明の効果】
【００１３】
以上説明したように本発明においては、固有に決められた座席情報が少なくとも掲載されたチケットからなるチケット部と、チケットの宛先情報が掲載された宛先情報掲載領域と、チケットに掲載された座席情報によって指定される座席位置が図表上で特定可能に明記された座席図掲載領域とが設けられているため、この情報表示シートを用いて、宛先情報掲載領域に掲載された宛先情報によって特定される利用者に、チケットを送付するとともに、チケットに掲載された座席情報によって指定される座席位置を図表上で特定可能に通知すれば、チケットに掲載されたイベントが開催される会場が大きな会場である場合であっても、チケットを大型化することなく、そのイベント会場全体の座席配置図を掲載することができ、また、チケットと、イベント会場全体の座席配置図とを、利用者に正確に送付することができる。
【発明を実施するための最良の形態】
【００１４】
以下に、本発明の実施の形態について図面を参照して説明する。
【００１５】
図１は、本発明の情報表示シートの実施の一形態を示す図であり、（ａ）は表面図、（ｂ）は裏面図である。
【００１６】
本形態は図１に示すように、表面には、宛先情報掲載領域２０と、メッセージ掲載領域５１と、座席図掲載領域３０と、会場地図掲載領域５２とが設けられており、裏面には、チケット情報掲載領域５３と、広告情報掲載領域５４と、チケット部１０と、クーポン部４０とが設けられている。
【００１７】
チケット部１０は、ミシン目１２によって他の領域から切り離し可能に構成され、イベントの日時や場所、さらに、利用者毎に固有となるように予め指定された座席情報となる座席番号が掲載されたチケット１１ａ，１１ｂから構成されている。
【００１８】
クーポン部４０は、ミシン目１２によって他の領域から切り離し可能に構成され、割引等の特典を受けることができるクーポン券４１ａ〜４１ｃから構成されている。
【００１９】
チケット情報掲載領域５３には、チケット部１０を構成するチケット１１ａ，１１ｂに関する情報、例えば、そのイベントの概略やアーティストの近況情報等が掲載されている。
【００２０】
広告情報掲載領域５４には、チケット部１０を構成するチケット１１ａ，１１ｂに関連する広告情報や、チケット１１ａ，１１ｂに掲載されたイベントが開催される会場近辺の店舗に関する情報等が掲載されている。
【００２１】
宛先情報掲載領域２０には、チケット部１０を構成するチケット１１ａ，１１ｂの送付先の住所や氏名等、このチケット１１ａ，１１ｂを郵送する際に必要となる情報が宛先情報として掲載されている。
【００２２】
メッセージ掲載領域５１には、宛先情報掲載領域２０に掲載された宛先情報によって特定される送付先に対するメッセージが掲載されている。
【００２３】
会場地図掲載領域５２には、チケット１１ａ，１１ｂに掲載されたイベントが開催される会場近況の地図、例えば、最寄駅から会場までの地図等が掲載されている。
【００２４】
座席図掲載領域３０には、チケット部１０を構成するチケット１１ａ，１１ｂに掲載されたイベントが開催される会場全体の座席配置図が掲載されるとともに、その中において、チケット１１ａ，１１ｂに掲載された座席番号によって指定される座席位置が、色分けや太枠囲み、あるいは矢印等によって示されている。これにより、チケット１１ａ，１１ｂに掲載された座席番号によって指定される座席位置が図表上で特定可能に明記されることになる。なお、本形態におけるの座席配置図では、座席位置を塗りつぶすことにより座席位置を示しているが、複数のチケットがある場合には、チケットの一部にそれぞれ異なる色で塗りつぶした識別領域を設け、座席配置図では、チケットに対応する座席位置をチケットの識別領域の色と同じ色で塗りつぶすことにより、複数のチケットで座席が離れている場合であっても座席を容易に探し出すことができる。
【００２５】
上記のように構成された情報表示シートは、封筒に封入、封緘され、宛先情報掲載領域２０に掲載された宛先情報によって特定される利用者に送付されることになる。
【００２６】
図２は、図１に示した情報表示シートを送付する際における情報表示シートの封入、封緘処理を説明するための図である。
【００２７】
まず、図１に示した情報表示シートを（図２（ａ））、チケット部１０及びクーポン部４０と他の領域との境界を折り線として二つ折りにする（図２（ｂ））。この際、宛先情報掲載領域２０を表面に露出させるために、図１（ａ）に示した情報表示シートの表面が外側となるように情報表示シートを二つ折りにする。
【００２８】
次に、二つ折りにされた情報表示シートを、宛先情報掲載領域２０が表面に露出するようにＺ折りに折り畳む（図２（ｃ））。ここで、このように情報表示シートをＺ折りにする場合、Ｚ折りされた１つの面に宛先情報掲載領域２０が収容される必要があるため、宛先情報掲載領域２０においては、情報表示シートを図１（ａ）中縦方向に三等分した領域内に収まる大きさでなければならない。
【００２９】
その後、Ｚ折りにされた情報表示シートを、透明フィルムによって構成された窓６１を有する封筒６０に、窓６１から宛先情報掲載領域２０に掲載された宛先情報が視認可能となるように封入、封緘し、発送する（図２（ｄ））。
【００３０】
このようにして発送された情報表示シートを受け取った利用者は、情報表示シートを封筒６０から取り出し、この情報表示シートを持参してイベント会場に来場する。イベント会場では、ミシン目１２によってチケット１１ａ，１１ｂを他の領域から切り離し、受付等に提示し、その後、座席図掲載領域３０にて図表上で明記された座席位置を参照しながら、チケット１１ａ、１１ｂに掲載された座席番号によって指定される座席を探し出し、その座席にてイベントを鑑賞することになる。
【００３１】
上述したように本形態においては、チケット１１ａ，１１ｂから構成されるチケット部１０と、チケット１１ａ，１１ｂの宛先情報が掲載された宛先情報掲載領域２０と、チケット１１ａ，１１ｂに掲載された座席情報によって指定される座席位置が図表上で特定可能に明記された座席図掲載領域３０とが設けられた情報表示シートを用いて、宛先情報掲載領域２０に掲載された宛先情報によって特定される利用者に、チケット１１ａ，１１ｂが送付されるとともに、チケット１１ａ，１１ｂに掲載された座席情報によって指定される座席位置が図表上で特定可能に通知されるので、チケット１１ａ，１１ｂに掲載されたイベントが開催される会場が大きな会場である場合であっても、チケット１１ａ，１１ｂを大型化することなく、そのイベント会場全体の座席配置図を掲載することができ、また、チケット１１ａ，１１ｂと、イベント会場全体の座席配置図とを、利用者に正確に送付することができる。
【００３２】
なお、本形態においては、チケット部１０が２枚のチケット１１ａ，１１ｂから構成されているが、本発明においては、チケット部１０を構成するチケットの数は限定しない。例えば、宛先情報掲載領域２０に掲載された宛先情報によって特定される利用者に３枚のチケットを送付する場合は、チケット部１０は３枚のチケットから構成され、また、１枚のチケットのみを送付する場合は、チケット部１０は１枚のチケットから構成される。座席図掲載領域３０においては、チケット部１０を構成するチケットのそれぞれに掲載された座席番号によって指定される座席位置が図表上で明記されることになる。
【００３３】
また、本形態においては、座席図掲載領域３０には、チケット部１０を構成するチケット１１ａ，１１ｂに掲載されたイベントが開催される会場全体の座席配置図が掲載されるとともに、その中において、チケット１１ａ，１１ｂに掲載された座席番号によって指定される座席位置が、色分けや太枠囲み、あるいは矢印等によって示され、それにより、チケット１１ａ，１１ｂに掲載された座席番号によって指定される座席位置が図表上で特定可能に明記されているが、チケット部１０を構成するチケット１１ａ，１１ｂに掲載されたイベントが開催される会場全体の概略レイアウトを掲載し、それとは別に、チケット１１ａ，１１ｂに掲載された座席番号によって指定される座席近辺の座席配置図を掲載し、その中において、チケット１１ａ，１１ｂに掲載された座席番号によって指定される座席位置を、色分けや太枠囲み、あるいは矢印等によって示すことも考えられる。このような構成とした場合、チケット１１ａ，１１ｂに掲載されたイベントが開催される会場が大きな会場となった場合であっても、チケット１１ａ，１１ｂに掲載された座席番号によって指定される座席位置の明示が細かくなることがなく、チケット１１ａ，１１ｂに掲載された座席番号によって指定される座席を、さらに容易に探し出すことができる。
【００３４】
また、本形態においては、チケットとクーポンの合計枚数が５枚となっているが、３の倍数の枚数（例えば６枚）にすることにより、ミシン目１２が設けられた部分でＺ折りすることができ、チケットやクーポンに折り目が入らなくなる。
【００３５】
また、本形態においては、情報表示シートを送付する際に、Ｚ折りしてから封筒に封入するように記載しているが、図２（ｂ）に示した状態で封筒に封入して送付することも考えられる。
【図面の簡単な説明】
【００３６】
【図１】本発明の情報表示シートの実施の一形態を示す図であり、（ａ）は表面図、（ｂ）は裏面図である。
【図２】図１に示した情報表示シートを送付する際における情報表示シートの封入、封緘処理を説明するための図である。
【符号の説明】
【００３７】
１０    チケット部
１１ａ，１１ｂ    チケット
１２    ミシン目
２０    宛先情報掲載領域
３０    座席図掲載領域
４０    クーポン部
４１ａ〜４１ｃ    クーポン券
５１    メッセージ掲載領域
５２    会場地図掲載領域
５３    チケット情報掲載領域
５４    広告情報掲載領域
６０    封筒
６１    窓
【図１】
2005193397.tif 000003
【図２】
2005193397.tif 000004